(57)【要約】【課題】電話回線の閉結後に発呼動作を行っている場合においても、目的とする送信先以外にファクシミリが送信されるのを抑制する。【解決手段】電話回線網１００には、１つの回線を共用する画像形成装置１０、第１並列電話端末５１および第２並列電話端末５２が並列に接続されている。ファクシミリの送信要求があった場合、画像形成装置１０のＦＡＸ通信部１５では、オフフックした後に検出された回線電圧値の検出結果に基づいて第１並列電話端末５１あるいは第２並列電話端末５２がオフフック状態にあるか否かを判断し、これらがオフフック状態であればダイヤルを中止し、オフフック状態でなければダイヤルを開始する。さらに、ＦＡＸ通信部１５は、ダイヤル開始後に第１並列電話端末５１や第２並列電話端末５２がオフフック状態にあるか否かを判断し、これらがオフフック状態であればダイヤルを中止する。【選択図】図１
2009111648.tif 000002
【特許請求の範囲】
【請求項１】
電話回線の閉結および開放を行う接続手段と、
前記接続手段にて閉結された前記電話回線に画像信号を送信する送信手段と、
前記接続手段にて閉結された前記電話回線に他の通信端末装置が閉結されているか否かを検出する検出手段と、
前記検出手段にて前記電話回線に対する前記他の通信端末装置の閉結が検出された場合に前記送信手段による送信動作を中止させる制御手段とを備え、
前記検出手段は、前記送信手段が発呼動作を行っている間に前記電話回線に前記他の通信端末装置が閉結されているか否かをさらに検出し、
前記制御手段は、前記送信手段が前記発呼動作を行っている間に前記電話回線に前記他の通信端末装置が閉結されたことを前記検出手段が検出した場合に当該発呼動作を中止させることを特徴とするファクシミリ装置。
【請求項２】
コンピュータに、
電話回線の閉結および開放を行う接続機能と、
前記接続機能にて閉結された前記電話回線に画像信号を送信する送信機能と、
前記接続機能にて閉結された前記電話回線に他の通信端末装置が閉結されているか否かを検出する検出機能と、
前記検出機能にて前記電話回線に対する前記他の通信端末装置の閉結が検出された場合に前記送信機能による送信動作を中止させる制御機能とを備え、
前記検出機能は、前記送信機能にて発呼動作を行っている間に前記電話回線に前記他の通信端末装置が閉結されているか否かをさらに検出し、
前記制御機能は、前記送信機能にて前記発呼動作を行っている間に前記電話回線に前記他の通信端末装置が閉結されたことを前記検出機能が検出した場合に当該発呼動作を中止させることを特徴とするプログラム。
【発明の詳細な説明】
【技術分野】
【０００１】
本発明は、ファクシミリ装置およびプログラムに関する。
【背景技術】
【０００２】
ファクシミリ装置には、電話回線を介して画像に基づく信号を送受信するための回線インタフェース回路が設けられる。近年、この種の回線インタフェース回路として、半導体化されたデータアクセス装置（以下、半導体ＤＡＡ（Data Access Arrangement）と呼ぶ）を備えたものが実用化されている。
【０００３】
また、半導体ＤＡＡには、接続された電話回線の回線電圧を検出する機能を備えたものが存在する。そして、半導体ＤＡＡの回線電圧の検出機能を利用し、回線インタフェース回路に接続された外付け電話の使用状態を監視する技術が存在する（特許文献１参照）。さらに、電話回線の回線電圧検出機能を備えた半導体ＤＡＡを有する通信装置において、通信開始の指示が出された場合に、この通信装置がオフフックする前のオンフック状態において電話回線の回線電圧の検出を行い、通信装置と接続される電話回線に並列に接続される電話機のオフフックを検出し、電話機がオフフックされている場合に通信開始を中止する技術も存在する（特許文献２参照）。
【０００４】
【特許文献１】特開２００５−５７６５９号公報
【特許文献２】特開２００４−１８７１２０号公報
【発明の開示】
【発明が解決しようとする課題】
【０００５】
ところで、電話回線に対しファクシミリ装置と他の電話端末とが並列に接続され、ファクシミリ装置側がオフフックして送信動作を開始した後に、他の電話端末側でオフフックが行われた場合、目的とする送信先にファクシミリを送信できなくなってしまうおそれがあった。
【０００６】
本発明は、電話回線の閉結後に発呼動作を行っている場合においても、目的とする送信先以外にファクシミリが送信されるのを抑制することを目的とする。
【課題を解決するための手段】
【０００７】
請求項１記載の発明は、電話回線の閉結および開放を行う接続手段と、前記接続手段にて閉結された前記電話回線に画像信号を送信する送信手段と、前記接続手段にて閉結された前記電話回線に他の通信端末装置が閉結されているか否かを検出する検出手段と、前記検出手段にて前記電話回線に対する前記他の通信端末装置の閉結が検出された場合に前記送信手段による送信動作を中止させる制御手段とを備え、前記検出手段は、前記送信手段が発呼動作を行っている間に前記電話回線に前記他の通信端末装置が閉結されているか否かをさらに検出し、前記制御手段は、前記送信手段が前記発呼動作を行っている間に前記電話回線に前記他の通信端末装置が閉結されたことを前記検出手段が検出した場合に当該発呼動作を中止させることを特徴とするファクシミリ装置である。
【０００８】
請求項２記載の発明は、コンピュータに、電話回線の閉結および開放を行う接続機能と、前記接続機能にて閉結された前記電話回線に画像信号を送信する送信機能と、前記接続機能にて閉結された前記電話回線に他の通信端末装置が閉結されているか否かを検出する検出機能と、前記検出機能にて前記電話回線に対する前記他の通信端末装置の閉結が検出された場合に前記送信機能による送信動作を中止させる制御機能とを備え、前記検出機能は、前記送信機能にて発呼動作を行っている間に前記電話回線に前記他の通信端末装置が閉結されているか否かをさらに検出し、前記制御機能は、前記送信機能にて前記発呼動作を行っている間に前記電話回線に前記他の通信端末装置が閉結されたことを前記検出機能が検出した場合に当該発呼動作を中止させることを特徴とするプログラムである。
【発明の効果】
【０００９】
請求項１記載の発明によれば、電話回線の閉結後に発呼動作を行っている場合においても、目的とする送信先以外にファクシミリが送信されるのを抑制することができる。
請求項２記載の発明によれば、電話回線の閉結後に発呼動作を行っている場合においても、目的とする送信先以外にファクシミリが送信されるのを抑制することができる。
【発明を実施するための最良の形態】
【００１０】
以下、添付図面を参照して、本発明の実施の形態について詳細に説明する。
図１は本実施の形態が適用される画像形成装置１０の構成を示す機能ブロック図である。この画像形成装置１０は、所謂コピー機能に加え、スキャナ機能、プリンタ機能、そしてファクシミリ機能等を備えている。
【００１１】
この画像形成装置１０は、制御部１１と、画像読み取り部１２と、印刷処理部１３と、ユーザインタフェース部１４と、ＦＡＸ通信部１５とを備えており、これらはバスライン１６を介して互いに接続されている。また、画像形成装置１０には、ＦＡＸ通信部１５から分岐コネクタ４０を介して電話回線網１００が接続されている。なお、この例においては、電話回線網１００は回線電圧値がＤＣ４８Ｖである公衆回線網である。ただし、公衆回線網に限定されることはなく、構内回線網等であってもよい。そして、この分岐コネクタ４０には、他の通信端末装置の一例としての第１並列電話端末５１および第２並列電話端末５２が接続されている。つまり、この例では、電話回線網１００（図１参照）に接続される分岐コネクタ４０に対し、画像形成装置１０、第１並列電話端末５１および第２並列電話端末５２が、並列に接続されており、１つの回線（電話番号）を共用している。なお、他の電話端末装置としては、所謂電話端末に限定されるものではなく、他のファクシミリ装置等であってもよい。
【００１２】
画像形成装置１０において、制御部１１は、ＣＰＵ（Central Processing Unit）１１ａ、ＲＯＭ（Read Only Memory）１１ｂ、およびＲＡＭ（Random Access Memory）１１ｃを備えている。取得手段および中止手段として機能するＣＰＵ１１ａは、ＲＯＭ１１ｂに記憶されたプログラムを読み出し、読み出したプログラムを、ＲＡＭ１１ｃと適宜データのやりとりを行いながら実行し、画像読み取り部１２、印刷処理部１３、ユーザインタフェース部１４およびＦＡＸ通信部１５を含む画像形成装置１０全体の動作を制御する。
画像読み取り部１２は、図示しない原稿に形成された画像の読み取りを行い、得られた画像信号を、バスライン１６を介して出力する。
印刷処理部１３は、画像読み取り部１２で原稿を読み取って得られた画像信号やＦＡＸ通信部１５を介して外部から受信した画像信号をバスライン１６を介して受け取り、受け取った画像信号に基づいて用紙上に画像を形成する。
ユーザインタフェース部１４は、ユーザから例えばファクシミリの送信先などの要求を受け付け、また、ユーザに対するメッセージ等の表示を行う。
【００１３】
ＦＡＸ通信部１５は、画像読み取り部１２で原稿を読み取って得られた画像信号に基づいて伝送信号を作成し、外部の電話回線網１００に向けて出力する。また、ＦＡＸ通信部１５は、電話回線網１００を介して外部から受け取った伝送信号に基づいて画像信号を作成し、作成した画像信号を、バスライン１６を介して出力する。
【００１４】
図２は、上述したＦＡＸ通信部１５の詳細な構成を説明するためのブロック図である。
送信手段の一例としてのＦＡＸ通信部１５は、モデム２１、半導体ＤＡＡ（Data Access Arrangement）２２、トランジスタ回路２３、整流器２４、リレー２５、給電回路２６および絶縁トランス２７を備える。また、ＦＡＸ通信部１５は、電話回線網１００（図１参照）と接続を行う２つのライン端子Ｌ１（Ｔｉｐ）、Ｌ２（Ｒｉｎｇ）と、図示しない外付け電話と接続を行うための２つの電話端子Ｔ１、Ｔ２とをさらに備える。なお、この例において、上記第１並列電話端末５１および第２並列電話端末５２は、図１に示す分岐コネクタ４０に接続されているのであって、電話端子Ｔ１、Ｔ２には接続されていない。また、このＦＡＸ通信部１５はユニット化されており、画像形成装置１０にファクシミリ機能が要求される場合に、画像形成装置１０に装着される。
【００１５】
モデム２１は、画像形成装置１０のバスライン１６および半導体ＤＡＡ２２と接続される。このモデム２１は、図１に示す制御部１１に設けられたＣＰＵ１１ａによって制御される。また、モデム２１および半導体ＤＡＡ２２は、絶縁トランス２７を介して接続される。したがって、絶縁トランス２７から半導体ＤＡＡ２２側は一次側（電源側）となり、絶縁トランス２７からモデム２１側は二次側（負荷側）となる。モデム２１は、バスライン１６を介して受け取った画像信号および通信信号に変調を施して伝送信号を作成し、半導体ＤＡＡ２２に向けて送信する。また、モデム２１は、電話回線網１００から半導体ＤＡＡ２２を介して受け取った伝送信号に復調を施して画像信号を作成し、バスライン１６に向けて送信する。
【００１６】
半導体ＤＡＡ２２は、モデム２１、ライン端子Ｌ１、Ｌ２およびトランジスタ回路２３と接続される。この半導体ＤＡＡ２２は、モデム２１を介して、図１に示す制御部１１に設けられたＣＰＵ１１ａにより制御される。また、半導体ＤＡＡ２２およびライン端子Ｌ１、Ｌ２は、数ＭΩ程度の抵抗を介して接続される。半導体ＤＡＡ２２は、主に、回線終端、発呼および着呼、ファクシミリの送受信における伝送信号の受け渡しなどを行う。そして、この半導体ＤＡＡ２２は、ライン端子Ｌ１、Ｌ２間に発生する電圧すなわち電話回線網１００から供給される回線電圧を検出する機能を有している。なお、半導体ＤＡＡ２２の詳細な構成については後述する。
【００１７】
トランジスタ回路２３は、半導体ＤＡＡ２２および整流器２４と接続される。このトランジスタ回路２３では、コレクタ端子が整流器２４に、ベース端子が半導体ＤＡＡ２２にそれぞれ接続され、エミッタ端子が接地されている。
【００１８】
整流器２４は、ライン端子Ｌ１、Ｌ２、トランジスタ回路２３および接地線に接続される。この整流器２４は、ライン端子Ｌ１、Ｌ２が電話回線網１００に接続されることによって両端子間に回線電圧がかかり、且つ、トランジスタ回路２３のコレクタ−エミッタ間が導通することによって閉ループが形成された際にライン端子Ｌ１、Ｌ２間に流れる直流ループ電流の極性を一方向に整流する。
【００１９】
リレー２５は、ライン端子Ｌ１と電話端子Ｔ１とを接続する接続線およびライン端子Ｌ２と電話端子Ｔ２とを接続する接続線にそれぞれ設けられる。このリレー２５は、ライン端子Ｌ１、Ｌ２を介して電話回線網１００に接続する端末を、図１に示す画像形成装置１０あるいは電話端子Ｔ１、Ｔ２に取り付けられた外付け電話（図示せず）に切り替える際に使用される。
【００２０】
給電回路２６は、リレー２５によってライン端子Ｌ１、Ｌ２と電話端子Ｔ１、Ｔ２とが切断された際に、電話端子Ｔ１を介して外付け電話に給電を行う電源として機能する。なお、リレー２５によってライン端子Ｌ１、Ｌ２と電話端子Ｔ１、Ｔ２とが切断された際、電話端子Ｔ２側は、接地された接地線に接続されるようになっている。
また、絶縁トランス２７は、モデム２１と半導体ＤＡＡ２２との間に取り付けられており、上述した一次側と二次側とを直流分離している。
【００２１】
次に、半導体ＤＡＡ２２の構成について詳細に説明する。
接続手段の一例としての半導体ＤＡＡ２２は、絶縁インタフェース（Ｉ/Ｆ）３１、回線電圧検出部３２、リング信号検出部３３、オフフック／ダイヤルパルス制御部３４、インピーダンス調整部３５およびＦＡＸ送受信制御部３６を備える。なお、絶縁インタフェース（Ｉ/Ｆ）３１、回線電圧検出部３２、リング信号検出部３３、オフフック／ダイヤルパルス制御部３４、インピーダンス調整部３５およびＦＡＸ送受信制御部３６は、内部バスを介して互いに接続されている。
【００２２】
絶縁Ｉ/Ｆ３１は、絶縁トランス２７を介してモデム２１に接続されている。この絶縁Ｉ/Ｆ３１は、モデム２１との通信を行う際のインタフェースとして機能している。
【００２３】
回線電圧検出部３２は、抵抗を介してライン端子Ｌ１、Ｌ２に接続されている。この回線電圧検出部３２は、ライン端子Ｌ１、Ｌ２間に発生する電圧すなわちライン端子Ｌ１、Ｌ２が接続される電話回線網１００から供給される回線電圧の有無およびその回線電圧値を検出する機能を有している。なお、回線電圧検出部３２は、回線が閉結されるオフフック状態および開放されるオンフック状態のいずれにおいても、回線電圧の有無および回線電圧値の検出が行えるようになっている。なお、回線電圧検出部３２による回線電圧の有無および回線電圧値の検出結果は、モデム２１に設けられたレジスタ（図示せず）に格納される。そして、本実施の形態では、制御部１１のＣＰＵ１１ａがモデム２１に設けられたレジスタを参照することで、回線電圧の有無や回線電圧値を検出している。
【００２４】
リング信号検出部３３は、抵抗を介してライン端子Ｌ１、Ｌ２に接続されている。このリング信号検出部３３は、着呼する際、ライン端子Ｌ１、Ｌ２を介して電話回線網１００からリング信号が入力された場合に、リング信号と同じサイクルでリング検出信号を出力する。
【００２５】
オフフック／ダイヤルパルス制御部３４は、トランジスタ回路２３に接続されている。このオフフック／ダイヤルパルス制御部３４は、トランジスタ回路２３を介して回線のオフクックおよびオンフックを切り替える。また、オフフック／ダイヤルパルス制御部３４は、発呼する際、電話回線網１００に向けて相手先の電話番号に対応するダイヤルパルスを出力する。
【００２６】
インピーダンス調整部３５は、トランジスタ回路２３に接続されている。このインピーダンス調整部３５は、トランジスタ回路２３に流すベース電流の大きさを適宜設定することで、ライン端子Ｌ１、Ｌ２間のインピーダンスすなわち回線の終端インピーダンスを調整する。
【００２７】
制御手段の一例としてのＦＡＸ送受信制御部３６は、トランジスタ回路２３に接続されている。このＦＡＸ送受信制御部３６は、ＦＡＸ送信を行う際、絶縁Ｉ/Ｆ３１を介してモデム２１から受け取った伝送信号を、電話回線網１００に向けて出力する。また、ＦＡＸ送受信制御部３６は、ＦＡＸ受信を行う際、電話回線網１００を介して受け取った伝送信号を、絶縁Ｉ/Ｆ３１を介してモデム２１に出力する。
【００２８】
図３は、画像形成装置１０によるファクシミリの送信動作における処理の流れを示すフローチャートである。なお、この処理に関するプログラムは制御部１１のＲＯＭ１１ｂに格納されており、ＣＰＵ１１ａがＲＯＭ１１ｂから読み出したプログラムを解釈して実行する。
【００２９】
この処理は、例えばユーザインタフェース部１４等を介して、ファクシミリの送信要求が受け付けられることにより開始される（ステップ１０１）。すると、ＣＰＵ１１ａは、ＦＡＸ通信部１５に設けられたモデム２１を介して半導体ＤＡＡ２２に発呼を実行する指示を出す。すると、半導体ＤＡＡ２２では、オフフック／ダイヤルパルス制御部３４がトランジスタ回路２３のベース端子に所定の電流を流し、トランジスタ回路２３をオンさせる。そして、トランジスタ回路２３がオンとなることにより、トランジスタ回路２３のコレクタ端子、エミッタ端子間が導通し、ライン端子Ｌ１、Ｌ２間に電流が流れる。このようにトランジスタ回路２３に電流が流れることにより回線がオフフックとなり（ステップ１０２）、電話回線網１００側はダイヤル待ちの状態になる。また、これと並行して、制御部１１のＣＰＵ１１ａは、画像読み取り部１２による読み取りによって得られた画像信号に所定の通信信号を付加し、モデム２１に出力する。そして、モデム２１は、受け取った画像信号および通信信号に変調を行って伝送信号を作成し、半導体ＤＡＡ２２に設けられたＦＡＸ送受信制御部３６に向けて出力する。
【００３０】
続いて、制御部１１のＣＰＵ１１ａは、モデム２１に設けられたレジスタのうち、回線電圧値に関する検出機能を参照し、オフフック状態における回線電圧値ＶＬを取得する（ステップ１０３）。次いで、ＣＰＵ１１ａは、取得した回線電圧値ＶＬが、オフフック基準電圧値Ｖ０より下がっているか否かを判断する（ステップ１０４）。ここで、本実施の形態では、上述したように電話回線網１００から供給される回線電圧値がＤＣ４８Ｖとなっている。この場合において、第１並列電話端末５１、第２並列電話端末５２、あるいはＦＡＸ通信部１５がオフフックした場合、ＦＡＸ通信部１５で検出される回線電圧値は低下し、ＤＣ１４Ｖ程度となる。また、第１並列電話端末５１または第２並列電話端末５２がオフフックした状態で、ＦＡＸ通信部１５がオフフックした場合、ＦＡＸ通信部１５で検出される回線電圧値はさらに低下し、ＤＣ１０〜１２Ｖ程度となる。このため、本実施の形態では、オフフック基準電圧値Ｖ０をＤＣ１０〜１２Ｖ程度に設定している。
【００３１】
ステップ１０４において回線電圧値ＶＬがオフフック基準電圧値Ｖ０を下回っていないと判断した場合、ＣＰＵ１１ａは、分岐コネクタ４０に接続される第１並列電話端末５１および第２並列電話端末５２がともにオンフック状態にあると判断し、モデム２１を介して半導体ＤＡＡ２２にダイヤルを実行する指示を出す。すると、半導体ＤＡＡ２２に設けられたオフフック／ダイヤルパルス制御部３４が、相手先電話番号に応じたパルス信号を出力するダイヤル処理を実行する（ステップ１０５）。なお、オフフック／ダイヤルパルス制御部３４から出力されたパルス信号は、ライン端子Ｌ１、Ｌ２より分岐コネクタ４０および電話回線網１００を介して図示しない交換機に送信される。また、オフフック／ダイヤルパルス制御部３４がダイヤル処理を行っている間、ＣＰＵ１１ａは、モデム２１に設けられたレジスタより、回線電圧値ＶＬの取得を続行する（ステップ１０５）。そして、ＣＰＵ１１ａは、ダイヤル処理が行われている間に取得した回線電圧値ＶＬが、オフフック基準電圧値Ｖ０より下がっているか否かを判断する（ステップ１０６）。ステップ１０６において回線電圧値ＶＬがオフフック基準電圧値Ｖ０を下回っていないと判断した場合、ＣＰＵ１１ａは、ダイヤル中に第１並列電話端末５１および第２並列電話端末５２がともにオフフックされなかったものと判断し、次に、オフフック／ダイヤルパルス制御部３４のダイヤル処理が完了したか否か、すなわち、電話回線網１００を介して相手先のファクシミリ（図示せず）が接続されたか否かを判断する（ステップ１０７）。なお、ステップ１０７においてダイヤル処理が完了していないと判断した場合すなわち相手先のファクシミリが使用中により接続できないような場合、ＣＰＵ１１ａは、ステップ１０５に戻って再度ダイヤル処理を実行する。
【００３２】
一方、ステップ１０７において、ダイヤル処理が完了したと判断した場合すなわち相手先のファクシミリが接続されたと判断した場合、ＦＡＸ送受信制御部３６が、モデム２１から受け取った伝送信号を、電話回線網１００を介して相手のファクシミリに送信する処理を実行する（ステップ１０８）。そして、ＦＡＸ送受信制御部３６が伝送信号の送信を終了すると、送信が終了したことを示す信号をオフフック／ダイヤルパルス制御部３４へと送る。これを受けて、オフフック／ダイヤルパルス制御部３４は、トランジスタ回路２３のベース端子に電流を流すのを停止し、トランジスタ回路２３をオフさせる。トランジスタ回路２３がオフとなることにより、コレクタ端子、エミッタ端子間の導通がなくなり、ライン端子Ｌ１、Ｌ２間に電流が流れなくなる。このようにトランジスタ回路２３に電流が流れなくなることにより回線はオンフック状態となり、送信処理を終了する。そして、この送信処理が完了すると、ＣＰＵ１１ａは、このファクシミリ送信に関する送信結果としての通信記録を作成し（ステップ１０９）、一連の処理を完了する。
【００３３】
一方、上記ステップ１０４およびステップ１０６において回線電圧値ＶＬがオフフック基準電圧値Ｖ０を下回っていると判断した場合、ＣＰＵ１１ａは、分岐コネクタ４０に接続される第１並列電話端末５１または第２並列電話端末５２の少なくとも一方がオフフック状態にあると判断し、モデム２１を介して半導体ＤＡＡ２２にダイヤルを実行する指示を出すのを中止し（ステップ１１０）、回線をオンフックする（ステップ１１１）。そして、ＣＰＵ１１ａは、ユーザインタフェース部１４に通信を中止したことを示すメッセージを表示させ（ステップ１１２）、このファクシミリ送信に関する通信記録を作成し（ステップ１１３）、一定時間ダイヤル処理の実行を禁止させる（ステップ１１４）。次に、ＣＰＵ１１ａは、ステップ１０３およびステップ１０５における回線電圧値ＶＬの連続取得回数が規定値（例えば５回）以上となっているか否かを判断する（ステップ１１５）。ステップ１１５において連続取得回数が規定値以上となっていると判断した場合、ＣＰＵ１１ａは、電話回線網１００に異常が生じているものと判断し、回線異常発生時用の処理を実行して（ステップ１１６）、一連の処理を完了する。一方、ステップ１１５において連続取得回数が規定値未満であると判断した場合、ＣＰＵ１１ａは、ステップ１０２に戻って処理を続行する。なお、上記ステップ１０９およびステップ１１３で作成された通信記録には、文書番号、相手（相手先電話番号）、送信の開始時刻、送信の所要時間、送信したページ枚数、そして送信結果等が含まれており、これらは記憶手段として機能するＲＡＭ１１ｃ等のメモリに格納される。
【００３４】
図４（ａ）は、上記ステップ１０９およびステップ１１３で作成、格納された通信記録を、ユーザインタフェース部１４に表示した例を示している。なお、通信記録の呼び出しは、ユーザインタフェース部１４にて受け付けられる。通信記録の表示画面には、上述した文書番号、相手、開始時刻、所要時間、ページ枚数、そして送信結果が含まれる。この例では、文書番号０２において並列電話検出による送信中止が生じている。このような通信記録を残しておくことにより、送信を中止した理由が並列電話の検出によるものであることがわかるようになる。一方、図４（ｂ）は、上記ステップ１１２においてユーザインタフェース部１４に表示されるメッセージの一例を示している。この例では、並列電話を検出したこと、および回線からの並列電話の取り外しを促すメッセージが表示されるようになっている。
【００３５】
次に、ファクシミリの受信動作について説明する。
例えば図示しない相手先のファクシミリから電話回線網１００および分岐コネクタ４０を介してリング信号が送られてくると、ＦＡＸ通信部１５の半導体ＤＡＡ２２に設けられたリング信号検出部３３がこのリング信号を検出し、リング信号を検出したことを示すリング検出信号をオフフック／ダイヤルパルス制御部３４へと送る。すると、オフフック／ダイヤルパルス制御部３４は、トランジスタ回路２３のベース端子に所定の電流を流し、トランジスタ回路２３をオンさせる。そして、トランジスタ回路２３がオンとなることにより、トランジスタ回路２３のコレクタ端子、エミッタ端子間が導通し、ライン端子Ｌ１、Ｌ２間に電流が流れる。このようにトランジスタ回路２３に電流が流れることにより回線がオフフック状態となり、電話回線網１００側は受信待ちの状態になる。
【００３６】
続いて、電話回線網１００を介して相手先のファクシミリが接続されると、ＦＡＸ送受信制御部３６が、電話回線網１００を介して相手先のファクシミリから送られてくる伝送信号の受信を開始する。そして、ＦＡＸ送受信制御部３６が伝送信号の受信を終了すると、受信が終了したことを示す信号をオフフック／ダイヤルパルス制御部３４へと送る。これを受けて、オフフック／ダイヤルパルス制御部３４は、トランジスタ回路２３のベース端子に電流を流すのを停止し、トランジスタ回路２３をオフさせる。トランジスタ回路２３がオフとなることにより、コレクタ端子、エミッタ端子間の導通がなくなり、ライン端子Ｌ１、Ｌ２間に電流が流れなくなる。このようにトランジスタ回路２３に電流が流れなくなることにより回線はオンフック状態となり、一連の受信動作が完了する。
【００３７】
なお、受信動作において、ＦＡＸ送受信制御部３６が受け取った伝送信号は、その後モデム２１に送られて復調される。そして、制御部１１のＣＰＵ１１ａは、復調された画像信号を、バスライン１６を介して印刷処理部１３へと送らせる。そして、印刷処理部１３は、受け取った画像信号に応じた画像を用紙上に形成して出力する。
【００３８】
また、本実施の形態では、ファクシミリ送信の要求がなくても、ユーザの要求に応じてオンフック状態で第１並列電話端末５１や第２並列電話端末５２の使用状況を確認することが可能である。
【００３９】
図５は、オンフック時における回線電圧取得処理の流れを示すフローチャートである。
この処理は、例えばユーザインタフェース部１４等を介して、回線電圧値の確認指示を受け付けることにより開始される（ステップ２０１）。すると、制御部１１のＣＰＵ１１ａは、モデム２１に設けられたレジスタのうち、回線電圧値に関する検出機能を参照し、回線電圧値ＶＬを取得する（ステップ２０２）。そして、ＣＰＵ１１ａは、回線電圧取得結果に関する回線電圧測定記録を作成し（ステップ２０３）、一連の処理を完了する。なお、上記ステップ２０３で作成された回線電圧測定記録には、通算の番号、測定時刻、そして測定結果が含まれており、これらはＲＡＭ１１ｃ等のメモリに格納される。
【００４０】
図６は、上記ステップ２０３で作成、格納された回線電圧測定記録を、ユーザインタフェース部１４に表示した例を示している。なお、回線電圧測定記録の呼び出しは、ユーザインタフェース部１４にて受け付けられる。回線電圧測定記録の表示画面には、上述した番号、測定時刻および測定結果が含まれる。また、測定結果では、実際の測定電圧（図中における４８ＶＤＣや１４ＶＤＣ）とともに、その測定電圧から推測される回線の状態（オンフック電圧（４８ＶＤＣ）あるいはオフフック電圧（１４ＶＤＣ））が表示される。
【００４１】
なお、本実施の形態では、１本の回線に対し、画像形成装置１０、第１並列電話端末５１および第２並列電話端末５２を並列接続する例について説明を行ったが、並列電話端末の数はこれに限られるものではない。この並列電話端末の数については１つであってもよいし、３以上であってもよい。また、並列電話端末については、通話機能を有するもののみならず、電話回線を介して信号の送受信を行うものであれば、例えば他のファクシミリ装置やデータ通信装置であってもよい。
また、これまでに記載した実施の形態は、図１の画像形成装置１０におけるＣＰＵ１１ａ、ＲＯＭ１１ｂ、ＲＡＭ１１ｃから構成されるコンピュータによって機能を実現させるプログラムによって実施してもよい。その際、プログラムは、例えばＲＯＭ１１ｂに記憶させてもよいが、このプログラムをＣＤ−ＲＯＭ等の記録媒体に記録して提供するようにしてもよい。
【図面の簡単な説明】
【００４２】
【図１】ファクシミリ機能を備えた画像形成装置の構成を示す機能ブロック図である。
【図２】ＦＡＸ通信部の詳細な構成を説明するためのブロック図である。
【図３】ファクシミリ送信における処理の流れを示すフローチャートである。
【図４】ユーザインタフェース部に表示される画面の一例を示す図である。
【図５】オンフック時における回線電圧取得処理の流れを示すフローチャートである。
【図６】ユーザインタフェース部に表示される画面の一例を示す図である。
【符号の説明】
【００４３】
１０…画像形成装置、１１…制御部、１１ａ…ＣＰＵ、１１ｂ…ＲＯＭ、１１ｃ…ＲＡＭ、１２…画像読み取り部、１３…印刷処理部、１４…ユーザインタフェース部、１５…ＦＡＸ通信部、１６…バスライン、２１…モデム、２２…半導体ＤＡＡ、２３…トランジスタ回路、２４…整流器、２５…リレー、２６…給電回路、２７…絶縁トランス、３１…絶縁Ｉ/Ｆ、３２…回線電圧検出部、３３…リング信号検出部、３４…オフフック／ダイヤルパルス制御部、３５…インピーダンス調整部、３６…ＦＡＸ送受信制御部、４０…分岐コネクタ、５１…第１並列電話端末、５２…第２並列電話端末、１００…電話回線網
【図１】
2009111648.tif 000003
【図２】
2009111648.tif 000004
【図３】
2009111648.tif 000005
【図４】
2009111648.tif 000006
【図５】
2009111648.tif 000007
【図６】
2009111648.tif 000008